(57)【要約】【課題】耐衝撃性や緩衝機能を有するのはもちろんのこと、収納された商品に接するまでの過程に重々しさをもたせることによって、商品に高級感を付与する。【解決手段】合成樹脂シートを成形して構成され、商品Ｘを収納したのち包装箱１２に収納される包装用トレイ１３において、左右方向の略中間部に位置する少なくとも１個の商品保持皿３１と、商品保持皿３１の左右両側に折り曲げ部３２を介して一体形成された被覆部３３，３４を備える。商品保持皿３１は、商品Ｘを載置する本体部３６と、本体部３６の上下両端において起立して商品Ｘを保持する起立保持部３８を有し、商品Ｘの左右両側を露出した態様で保持する構造に形成する。被覆部３３，３４は、商品保持皿３１上の商品Ｘの左右両側と上方を被覆し、観音開きによって開く構造に形成する。【選択図】図１
2020023346.tif 000002
【特許請求の範囲】
【請求項１】
シートを成形して構成された包装用トレイであって、
左右方向の略中間部に位置する少なくとも１個の商品保持皿と、
前記商品保持皿の左右両側に折り曲げ部を介して一体形成された被覆部が備えられ、
前記商品保持皿が、商品を載置する本体部と、前記本体部の上下両端において起立して商品を保持する起立保持部を有し、商品の左右両側の少なくとも一部を露出した態様で保持する形状であり、
前記被覆部が、前記商品保持皿に重なる方向に向けて折り曲げて閉じた際に互いに突き合う当接部と、前記当接部よりも前記折り曲げ部側の部位において商品の収納を許容する凹部と、上下両端において起立する起立壁部と、前記当接部同士を突き合わせた際に面を形成する上面形成部を有する
包装用トレイ。
【請求項２】
前記被覆部が、前記当接部を突き合わせた状態を保持する嵌合部を有する
請求項１に記載の包装用トレイ。
【請求項３】
前記起立保持部が、商品の上端又は下端に接して接触抵抗を発揮する弾性接触部を有する
請求項１または請求項２に記載の包装用トレイ。
【請求項４】
前記起立保持部が、商品の向きを規制する規制手段を有する
請求項１から請求項３のうちいずれか一項に記載の包装用トレイ。
【請求項５】
前記商品保持皿と前記被覆部が、前記折り曲げ部と同じ高さにおいて外周に張り出す縁部を有する
請求項１から請求項４のうちいずれか一項に記載の包装用トレイ。
【請求項６】
前記商品保持皿の前記本体部における前記起立保持部間の位置に、前記商品保持皿の底方向へ凹む凹所が形成され、
前記凹所の底面が、前記縁部の高さよりも低位置であり、
前記底面における上下方向の端部に、傾斜面又は湾曲面が形成された
請求項５に記載の包装用トレイ。
【請求項７】
前記被覆部における前記凹部に、前記凹部の底方向へ膨らむ膨出部が形成され、
前記膨出部の底面が、前記縁部の高さよりも低位置であり、
前記底面における上下方向の端部に、傾斜面又は湾曲面が形成された
請求項５または請求項６に記載の包装用トレイ。
【請求項８】
請求項１から請求項７のうちいずれか一項に記載の包装用トレイを収納した
包装体。
【発明の詳細な説明】
【技術分野】
【０００１】
この発明は、商品を保持して収納する包装用トレイに関する。
【背景技術】
【０００２】
包装用トレイは、合成樹脂シート等を成形して構成されており、商品を収納するのに適合した凹所を上面に有している。包装用トレイは、被収容物である商品を衝撃から守ることに貢献している。
【０００３】
しかし、包装用トレイは商品を載せる凹所を有しているだけであり、一体の覆いを有していない。
【０００４】
このような構成であるので、すぐに商品に接することができるが、見た目の美麗さを表現するものではなかった。
【０００５】
下記特許文献１、２には、商品を保持する緩衝材が開示されている。
【０００６】
特許文献１の緩衝材は、左右両側の二重壁構造の部分と、これらの下端を連結する部分を有するものであって、二重壁構造の部分の内側板に商品を嵌め込む切欠き部が形成されている。切欠き部は、円柱状をなす商品の太さの半分よりも小さい一部分を嵌め込むものであって、商品の全体を被包するものではない。
【０００７】
また、商品は左右の二重壁構造の部分に嵌め込まれる構造であって、商品の取出しに際して左右の二重壁構造の部分を開くと、商品はいずれか一方から外れて取り出せるようになる。つまり、容体と蓋体を備える容器に例えるなら、いずれか一方の二重壁構造の部分が蓋体として機能し、他方が容体として機能するような構造であるともいえる。
【０００８】
このような構成の緩衝材は、緩衝材としては十分であっても、緩衝材としての外観しか有さず、何ら見た目の美麗さや高級感等を得られる構成ではない。
【０００９】
特許文献２には、商品の全体を被包する構造の緩衝材が開示されている。この緩衝材は、厚紙を折り曲げて構成され、商品の太さの半分を収める凹部を有し、この凹部の左右両側に、凹部に収納した商品の上面を覆う部分が折り曲げ可能に一体形成されている。しかし凹部は、横断面正方形枠状の対角線上に延びる面に形成されている。
【００１０】
この構成では、商品の取出しに際して商品の上面を覆う部位を左右に開いたときに初めて商品が見えるようになる構造である。しかし、商品の真下が横断面正方形の角に相当する構造であって、商品を取り出すときには商品が斜め横に向くことになることからも、緩衝材としての機能ばかりが目立つ。
【００１１】
このため、このような構成の緩衝材も、緩衝材としては十分であっても、何ら見た目の美麗さや高級感等を得られる構成ではない。
【００１２】
さらに、商品は太さの半分までが凹部に収まっているので、取り出しにくい。
【００１３】
緩衝のみを目的とする包装用材料においては、特許文献１、２のように、左右に開閉する部分を一体に備えた構成が開示されているが、包装用トレイにおいてはそのような構成のものは無かった。
【先行技術文献】
【特許文献】
【００１４】
【特許文献１】特開平８−２０７９２９号公報
【特許文献２】特開平６−１５６４７６号公報
【発明の概要】
【発明が解決しようとする課題】
【００１５】
この発明は、緩衝機能を有するのはもちろんのこと、高い耐衝撃性を有するとともに意匠性を高め、さらに収容された商品に接するまでの過程に重々しさをもたせることによって商品に高級感も付与する包装用トレイを提供する。
【課題を解決するための手段】
【００１６】
そのための手段は、左右方向の略中間部に位置する少なくとも１個の商品保持皿と、前記商品保持皿の左右両側に折り曲げ部を介して一体形成された被覆部が備えられ、前記商品保持皿が、商品を載置する本体部と、前記本体部の上下両端において起立して商品を保持する起立保持部を有し、商品の左右両側の少なくとも一部を露出した態様で保持する形状であり、前記被覆部が、前記商品保持皿に重なる方向に向けて折り曲げて閉じた際に互いに突き合う当接部と、前記当接部よりも前記折り曲げ部側の部位において商品の収納を許容する凹部と、上下両端において起立する起立壁部と、前記当接部同士を突き合わせた際に面を形成する上面形成部を有する包装用トレイである。
【００１７】
なお、前述の「略中間部」は、左右方向の中間と、その近傍の部分を指すものであり、左右方向の中間からずれていてもよいことと、左右方向の一方に著しく偏った部分ではないことを表している。
【００１８】
この構成では、商品保持皿の起立保持部が、本体部に載せられた商品の上下両端を保持して、商品を商品保持皿上に固定する。商品保持皿の上で左右両側を露出した状態で保持された商品は、折り曲げ部を介して折り曲げて閉じた状態にした被覆部の当接部、凹部及び起立壁部の協働、すなわち当接部と凹部と起立壁部が閉じて閉塞状態が形成され、商品が包装用トレイ内に収容された状態となる。また包装用トレイに収容された状態から、商品を取り出す際には、当接部と凹部と起立壁部を観音開きの動作で開放し、収容された商品を取り出すことができる。
【発明の効果】
【００１９】
この発明によれば、商品保持皿に保持した商品は閉じられた被覆部によって隠ぺいされて、被覆部を開くまで取り出せない構造となり、外部からの衝撃に対し、高い緩衝機能を有する。しかも、被覆部は左右に存在して観音開きする構造であり、上面形成部が閉じた状態で面を形成しており、開く際に上面形成部同士が分離する。このため、すぐには商品に触れられないように重々しさを付与するとともに、観音開きの動作をさせることにより荘厳さを付与して、被収容物である商品に高級感を持たせることができる。
【００２０】
また、商品保持皿に保持された商品は、上下両端部が保持されて固定されており、このような特異な保持の仕方によっても意匠性が高まり、商品に高級感を持たせることができる。しかも、商品は左右両側の少なくとも一部が露出した状態で収容されているので、商品の取出しは簡単である。
【図面の簡単な説明】
【００２１】
【図１】包装体の内部構造を示す断面図。
【図２】包装用トレイの正面図。
【図３】包装用トレイの斜視図。
【図４】包装用トレイの斜視図。
【図５】包装用トレイの平面図。
【図６】図５のＡ−Ａ断面図。
【図７】図５のＢ−Ｂ断面図。
【図８】包装用トレイの被覆部を折り曲げて閉じた状態の断面図。
【図９】包装用トレイの被覆部を折り曲げて閉じた状態の平面図。
【図１０】包装箱に対する包装用トレイの収納過程を示す断面図。
【発明を実施するための形態】
【００２２】
この発明を実施するための一形態を、以下図面を用いて説明する。
【００２３】
図１に、包装体１１の内部構造を示す。この包装体１１は、直方体形状の包装箱１２と、包装箱１２内に収納されて商品Ｘを包み込む包装用トレイ１３で構成されている。
【００２４】
商品Ｘには、例えば柱状や球状、立方体状、直方体状、卵形など様々な形状のものがあるが、この例では、略円柱状の商品Ｘを示す。図１は寝かせた状態で収納した商品Ｘを長手方向の端部側から見た図である。
【００２５】
商品Ｘを包み込む包装用トレイ１３は、シートを成形して構成されており、常態では図２に示したように平たく開いた形状である。包装用トレイ１３は、一部に商品Ｘを保持して閉じると、図１に示したように包装箱１２内にぴたりと納まる正面視略長方形状になるように構成されている。
【００２６】
前述のシートは、例えばポリプロピレンなどのように可撓性を有する材料からなる合成樹脂シートのほか、例えば紙、ラミネート材、不織布、紙と合成樹脂をブレンドしたものからなるシートなどであってもよく、シートには、合成樹脂の加工と類似した加工が行わる材料からなる適宜のシートを用いることができる。
【００２７】
そのような包装用トレイ１３の斜視図を図３、図４に示す。図３は、包装用トレイ１３を、収納される商品Ｘの上端部に対応する部分を見る表面側の斜視図であり、図４は、収納される商品Ｘの下端部に対応する部分を見る表面側の斜視図である。
【００２８】
包装用トレイ１３は、保持される略円柱状の商品Ｘの長手方向と直交する方向である左右方向の中間に位置する１個の商品保持皿３１と、商品保持皿３１の左側と右側に折り曲げ部３２を介して一体形成された被覆部３３，３４を備えている。
【００２９】
商品保持皿３１と被覆部３３，３４は共に、平面図である図５にも示したように平面視短冊形状である。より具体的には、商品保持皿３１と被覆部３３，３４は、四方の角を面取りした形状であり、それぞれ外周に張り出す縁部３５を全周に有している。そして、商品保持皿３１と被覆部３３、商品保持皿３１と被覆部３４の縁部３５同士の間に折り曲げ部３２が形成されている。換言すれば、商品保持皿３１と被覆部３３，３４が、折り曲げ部３２と同じ高さにおいて外周に張り出す縁部３５を有している。
【００３０】
折り曲げ部３２は、ミシン目のように複数の断続的な切り込み３２ａで構成されている。切り込み３２ａは、合成樹脂シートの厚み方向に貫通し、一直線に並んでいる。
【００３１】
商品保持皿３１は、商品Ｘを載置する板状の本体部３６と、本体部３６の長手方向の両端である上下両端において起立して商品Ｘを保持する起立保持部３７，３８を有し、商品Ｘの左右両側の少なくとも一部を露出した態様で保持する形状である。具体的には、本体部３６は平らな皿状であって、本体部３６の長さと幅は、商品Ｘの平面視形状よりも大きく設定されている。商品保持皿３１の商品Ｘを載置する本体部３６は、商品Ｘの形状によっては他の形状であってもよい。また、商品Ｘの左右両側は、上端部と下端部を除いてほとんどが露出した態様で保持される。
【００３２】
起立保持部３７，３８は、商品保持皿３１の幅方向の中間に対応する位置が最も高くなる正面視三角形状であり、商品保持皿３１の長手方向に十分な厚みを有している。十分な厚みとは、中空構造の起立保持部３７，３８が商品Ｘを保持するのに必要な剛性を有するとともに、商品Ｘの着脱による起立保持部３７，３８の変形を吸収できる厚みである。また、傾斜した平らな上面３７ａ，３８ａの面積を、被覆部３３，３４と安定して対向させる面積とすることができる厚みである。
【００３３】
２個の起立保持部３７，３８の高さ、換言すれば起立保持部３７，３８における相対向する内側面は、図６（図５のＡ−Ａ断面図）に示したように商品Ｘの上端部または下端部を保持可能であって、商品Ｘの上端面または下端面における高位置を除して商品Ｘの太さの中心位置から低位置のみを覆う大きさに形成されている。また内側面には、商品Ｘの上端部または下端部を受けるべく樋状に凹む凹状の受け部３７ｂ，３８ｂを有している。
【００３４】
また起立保持部３７，３８の内側面の幅方向の中間部には、それよりも左右両側の部位に比べて商品保持皿３１の長手方向の内側にせり出す弾性接触部３９を有している。弾性接触部３９は、断面図である図７（切断箇所は図５のＢ−Ｂ）に示したように商品Ｘの上端面又は下端面に接して接触抵抗を発揮する。
【００３５】
さらに起立保持部３７は、商品Ｘの向きを規制し、商品Ｘの回転を防止する規制手段を有している。図示例の商品Ｘの下方側部分が円柱状であるのに対して上端側部分が角柱状、具体的には八角柱状であるので、規制手段は、起立保持部３７，３８のうちの商品Ｘの上端部を保持する上端の起立保持部３７における受け部３７ｂに形成されている。つまり規制手段は、図６にも示したように商品Ｘの上端部が嵌る角溝３７ｃで構成される。角溝３７ｃの形成位置は、商品Ｘの正面を起立保持部３７の起立方向に向ける位置である。
【００３６】
規制手段は、商品Ｘの全体が円柱形状である場合など、置いただけでは回転規制ができない形状である場合には、付勢力をもって挟み付ける構造など、その他の構成であってもよい。
【００３７】
本体部３６における起立保持部３７，３８間の位置に、商品保持皿３１の底方向へ凹む平面視長方形状の凹所４１が形成され、凹所４１の左右両側であって縁部３５との境界に、縁部３５よりも起立する直線状の起立縁４２が形成されている。また凹所４１の底面４３は、前述の折り曲げ部３２と同じ高さにおいて外周に張り出す縁部３５の高さよりも低位置である。凹所４１の底面４３の位置は、縁部３５を浮かせる適宜の高さに設定される。
【００３８】
凹所４１の底面４３における上下方向、つまり商品保持皿３１の長手方向の両側の端部には、傾斜面４４が形成されている。傾斜面４４に代えて湾曲面、又は傾斜面４４と湾曲面を複合した形状の面を形成してもよい。
【００３９】
商品保持皿３１の両側に一体形成される被覆部３３，３４は、当接部４５と、凹部４６と、起立壁部４７と、上面形成部４８と、嵌合部４９を有している。当接部４５は、被覆部３３，３４を商品保持皿３１に重なる方向に向けて折り曲げて閉じた際に互いに突き合う部分である。凹部４６は、当接部４５よりも折り曲げ部３２側の部位において商品Ｘの収納を許容する部分である。起立壁部４７は、被覆部３３，３４の上下両端において起立している部分である。上面形成部４８は、当接部４５同士を突き合わせた際に面を形成する部分である。嵌合部４９は、当接部４５を突き合わせた状態を保持する部分である。
【００４０】
被覆部３３，３４の長さは、商品保持皿３１の長さと同じに設定され、被覆部３３，３４の幅は、商品保持皿３１に保持した商品Ｘを被覆できるように商品Ｘの高さに準じて設定されている。
【００４１】
被覆部３３，３４の高さは、商品保持皿３１の高さよりも高く、正面視形状は折り曲げ部３２側が低く左右方向外側が高い略台形状である。
【００４２】
当接部４５は、被覆部３３，３４の長手方向の上下両端の起立壁部４７における左右方向の中間部から外側の部位と、左右方向の外側の端の上面に形成されており、平面視略コ字状である。当接部４５は、縁部３５と平行で平らに形成されており、当接部４５の幅は、互いに面接触する適宜の幅に設定されている。
【００４３】
起立壁部４７の上面のうち当接部４５が形成される部位よりも左右方向の内側には、折り曲げ部３２において折り曲げて被覆部３３，３４を商品保持皿３１の上で閉じた際に、起立保持部３７，３８の上面３７ａ，３８ａに対向する、傾斜した平らな対向面３３ａ，３４ａが形成されている。つまり、被覆部３３，３４を閉じた際に、包装用トレイ１３の上下両端は起立壁部４７と起立保持部３７，３８によって閉塞される。
【００４４】
起立保持部３７，３８の上面３７ａ，３８ａと起立壁部４７の対向面３３ａ，３４ａの縁部３５に対する角度、つまり水平に対する角度は適宜設定され、商品Ｘの形状などにもよるが、前述例の円柱状である場合には、起立保持部３７，３８の上面３７ａ，３８ａの傾斜角度は縁部３５に対して、例えば４５度より低い３５度程度であるとよい。
【００４５】
このような当接部４５より内側、つまり当接部４５に囲まれた部分に、前述の凹部４６が形成される。凹部４６は、前述のように商品Ｘの収納を許容するものであるが、そのような形状のなかでも、商品Ｘに接して商品Ｘを保持する大きである。特に、凹部４６のうち、商品Ｘの上端部に対応する部位には、図３、図６に示したように商品Ｘの上端部が嵌る角溝４６ａが形成されており、回転を規制する部分となる。角溝４６ａは、回転規制部としての起立保持部３７における角溝３７ｃに対応して形成されている。
【００４６】
凹部４６のうちのその長手方向の中間部であって、左右方向の内側、折り曲げ部３２に寄った位置に、凹部４６の底方向へ膨らむ膨出部５１が形成されている。膨出部５１の底面５２は、縁部３５の高さよりも低位置である。膨出部５１の底面５２の位置は、縁部３５を浮かせる適宜の高さに設定される。
【００４７】
膨出部５１の底面５２における上下方向、つまり被覆部３３，３４の長手方向の両側の端部には、傾斜面５３が形成されている。傾斜面５３に代えて湾曲面、又は傾斜面５３と湾曲面を複合した形状の面を形成してもよい。
【００４８】
被覆部３３，３４における当接部４５と凹部４６の間の平面視コ字状の部位に、前述の嵌合部４９が形成される。すなわち、図６、図８に示したように、被覆部３３，３４のうち一方の被覆部３３には、当接部４５よりも高さが高い嵌合凸部４９ａが形成され、他方の被覆部３４には、当接部４５よりも高さが低い嵌合凹部４９ｂが形成されている。図８は、被覆部３３，３４を折り曲げて閉じた状態を示す断面図である。図８が示す断面図の切断箇所は図６と同じである。
【００４９】
嵌合凸部４９ａのうち起立壁部４７に対応する部位の被覆部３３の長手方向の外側面には、外側に突出する係止凸部５５が膨出形成されている。一方、嵌合凹部４９ｂのうち起立壁部４７に対応する部位の被覆部３４の長手方向の内側面であって係止凸部５５に対応する部位には、係止凸部５５に対して係脱する係止凹部５６が形成されている。係止凸部５５と係止凹部５６は、被覆部３３，３４の当接部４５同士を突き合わせた状態で係止し、当接部４５同士を離すと分離する（図３、図４参照）。
【００５０】
前述の上面形成部４８は、縁部３５のうち左右方向の外側と当接部４５を連結する部分であり、起立壁部４７と一体に形成されている。図８に示したように、上面形成部４８は、当接部４５同士を接合した際に略水平に延び、商品保持皿３１と平行又略平行となる。左右方向に並ぶ上面形成部４８同士の接合縁は面一である。上面形成部４８の裏側は空洞であり、当接部４５同士を接合した状態において、左右方向の外側から容易に手を入れられる構造である。
【００５１】
以上のように構成された包装用トレイ１３は、商品保持皿３１に商品Ｘを保持したのち、包装箱１２に収納される。
【００５２】
商品保持皿３１に対する商品Ｘの保持は、商品Ｘの上端部と下端部をそれぞれ商品保持皿３１の上端の起立保持部３７と下端の起立保持部３８の間に嵌め込む。商品Ｘの上端と下端は弾性接触部３９を変形させるので、弾性接触部３９の復元力で保持される。弾性接触部３９は商品Ｘの保持状態において緩衝機能も果たす。
【００５３】
また、上端の弾性接触部３９の近傍の角溝３７ｃによって商品Ｘの向きは維持されるので、商品Ｘの保持に際しては、商品Ｘの正面を商品保持皿３１の正面、つまり起立保持部３８の起立方向に向ける。
【００５４】
商品Ｘの保持に先立って、商品保持皿３１の凹所４１に、商品説明書や取扱説明書など、商品Ｘに添付する書面Ｙ（図８参照）を収納しておく。
【００５５】
このあと、商品保持皿３１の左右両側の被覆部３３，３４を折り曲げ部３２で折り曲げて商品保持皿３１に重なる上方で合わせて、閉じる。すなわち、当接部４５同士を突き合わせるとともに嵌合部４９による嵌合を行う。すると、図８、図９に示したように、商品Ｘは全体が包装用トレイ１３で包まれて、保持されることになる。被覆部３３，３４には嵌合部４９が形成されているので、別の部材を用いずとも閉じた状態を容易に保持できる。
【００５６】
被覆部３３，３４を閉じることで略直方体状になった包装用トレイ１３は、図１０に示したように端部を開口した包装箱１２に挿入して包装される。
【００５７】
包装箱１２に対する挿入は、包装箱１２の開口に対して包装用トレイ１３を相対移動させて行う。このとき、折り曲げられた包装用トレイ１３の長手方向の端面、つまり対応する部位で縁部３５に囲まれた部分の大きさは、包装箱１２の開口部の大きさに比べて、凹所４１と膨出部５１を縁部３５の高さよりも低位置に突出させたぶん小さくなるので、挿入しやすい。しかも、商品保持皿３１と被覆部３３，３４は四方の角を面取りした形状であるので、包装箱１２の四隅に当たる部分がない。そのうえ、凹所４１と膨出部５１には傾斜面４４，５３が形成されるとともに、縁部３５を有しているので、これらがガイドになって挿入が極めて容易である。このため、機械による自動包装ができる。
【００５８】
そのうえ、商品保持皿３１には起立縁４２と凹所４１が形成され、被覆部３３，３４には、凹部４６と膨出部５１が形成されているので、長手方向での剛性も高く、包装箱１２に対する挿入が確実に行える。
【００５９】
包装箱１２に挿入されると包装用トレイ１３は、図１に示したように縁部３５の端面と、凹所４１及び膨出部５１の底面４３，５２が包装箱１２の内面に接して弾性的に保持される。
【００６０】
したがって包装箱１２内の包装用トレイ１３は、各部の弾性変形と各部の相対変位によって緩衝機能を発揮して、商品Ｘを保護する。
【００６１】
また、開封に際しては、まず包装用トレイ１３を包装箱１２から取り出す。取り出された包装用トレイ１３は、全体として直方体状であり、商品Ｘは全体が商品保持皿３１と被覆部３３，３４によって隠ぺいされている。商品保持皿３１を下にしたときに上面に表れる上面形成部４８は、図９に示したように扉のように一つの面を形成しているので、耐衝撃性が高まるとともに、包装箱１２から取り出しただけでは商品Ｘを取り出せないことと相まって、重々しさ、荘厳さ、大切に包装された印象を付与できる。この結果、これまでにない高級感、美麗さを表現することができる。
【００６２】
しかも、開封にはさらに、上面形成部４８を指先で掴んで当接部４５同士が離れる方向に観音開きの要領で引っ張る必要がある。そして引っ張ると、一対の上面形成部４８によって形成された面が割れて、商品Ｘが現われる。この点からも、商品Ｘに荘厳さをもたせることができて、商品Ｘに高級感、美麗さを付与することができる。
【００６３】
被覆部３３，３４を開くと商品Ｘが露出するが、このとき商品Ｘは、規制手段としての角溝３７ｃによって正面を向けて保持されているので、美麗さ、高級感を増長できる。そのうえ、商品Ｘは上下両端の起立保持部３７，３８で保持されており、良好に保持できるとともに、特異な保持の仕方で大切に扱われている印象や商品Ｘの高級感、美麗さを強めることができる。
【００６４】
しかも商品Ｘは、商品保持皿３１の上で左右両側の少なくとも一部を露出した状態で保持されているので、商品保持皿３１から取外し易い。
【００６５】
加えて、被覆部３３，３４は商品Ｘの収納を許容する凹部４６を有しているので、当接部４５を有する構造であっても、包装用トレイ１３及び包装体１１の小型化コンパクト化を図ることができる。
【００６６】
さらに、被覆部３３，３４の四方の角は面取りをしてあるので、包装箱１２のフラップの先を差し込みやすい。この点からも自動包装に好適である。
【００６７】
以下、その他の例について説明する。
【００６８】
前述のように左右方向に並ぶ上面形成部４８同士の接合縁は面一であるので、これら上面形成部４８を利用して更なる高級感の向上を図ることができる。つまり、左右の被覆部３３，３４における上面形成部４８に、閉鎖時に複合されて一体となる適宜の表示を形成するとよい。表示には、例えば高級感を表す文字をはじめ、商品名や適宜の図柄などが考えられ、表示は、凹凸やフィルムの貼り付け等の適宜の手段によって形成される。
【００６９】
このような構成では、開封に際して目に入る表示によっても高級感、美麗さを表現できる。
【００７０】
また前述の表示は、高級感をあらわすものではなく、開封方向を示す印などの表示であってもよい。
【００７１】
以上はこの発明を実施するための一形態であって、この発明は前述の構成のみに限定されるものではなく、その他の構成を採用することができる。
【００７２】
たとえば、包装用トレイ１３を収容した包装体は前述したような包装箱１２のほか、包装袋で構成してもよい。
【００７３】
嵌合部４９は、公知のロック機構が適宜使用できる。また、嵌合部４９の係止凸部５５と係止凹部５６を省略して、シールやテープの貼り付けで閉塞状態を維持するようにしてもよい。
【００７４】
被覆部３３，３４は、前述の例ではそれぞれ一つの部分からなる構成を示したが、左右の被覆部３３，３４は、相互間において折り曲げられる複数の部分からなるものであっても、また構成部分の数が左右の被覆部３３，３４で異なるものであってもよい。
【００７５】
凹所４１の底面４３や膨出部５１の底面５２の傾斜面４４，５３は、底面４３，５２の上下方向の一方のみ、つまり挿入方向の先端側のみに形成してもよい。
【００７６】
上面形成部４８は、当接部４５同士を突き合わせた際に面を形成するものであればよく、その面の形状は商品Ｘ、包装用トレイ１３、包装箱１２などの形状等に応じて適宜設定される。また、その面は前述のような水平に限らず、傾斜したり湾曲したりしたものであってもよい。
【００７７】
折り曲げ部３２は、前述のようなミシン目状の切り込み３２ａのほか、例えば罫線（折り曲げ線）等で構成してもよい。
【符号の説明】
【００７８】
１１…包装体
１２…包装箱
１３…包装用トレイ
３１…商品保持皿
３２…折り曲げ部
３３，３４…被覆部
３５…縁部
３６…本体部
３７，３８…起立保持部
３７ｃ…角溝
３９…弾性接触部
４１…凹所
４３…底面
４４…傾斜面
４５…当接部
４６…凹部
４７…起立壁部
４８…上面形成部
４９…嵌合部
５１…膨出部
５２…底面
５３…傾斜面
６１…表示
Ｘ…商品
【図１】
2020023346.tif 000003
【図２】
2020023346.tif 000004
【図３】
2020023346.tif 000005
【図４】
2020023346.tif 000006
【図５】
2020023346.tif 000007
【図６】
2020023346.tif 000008
【図７】
2020023346.tif 000009
【図８】
2020023346.tif 000010
【図９】
2020023346.tif 000011
【図１０】
2020023346.tif 000012